(57)【特許請求の範囲】
【請求項１】
ディスクプレーヤーのターンテーブルに載置されたディスクを保持するためのチャッキング装置であって、
前記ターンテーブルに係止可能な円板状のチャックディスクと、前記チャックディスクが挿通可能な開口を有し前記チャックディスクが回転自在に配置される保持部と、前記開口の縁部に内周側に突出して形成された複数の第１爪部と、前記開口の縁部に形成され前記保持部内のチャックディスクが外部に抜け出るのを防止するための少なくとも１つの第２爪部とを有するチャックアームとを備え、
前記複数の第１爪部は、前記チャックディスクの保持部内への挿通を許容しかつ保持部内のチャックディスクを支持するものであり、
前記第２爪部は、前記チャックディスクを前記開口から前記保持部内に挿通してその保持部に装着するに際し、前記チャックディスクの外周部が干渉して半径方向外方に押されることにより弾性変形してそのチャックディスクを前記保持部内に挿通することを可能にするものであり、
前記第２爪部は、前記チャックディスクの装着時に受ける力に対する剛性に比較して、前記チャックディスクが前記保持部から抜け出ようとする際に受ける力に対する剛性の方がより高くなる形状である、ディスクプレーヤーのチャッキング装置。
【請求項２】
前記第２爪部は前記チャックディスクの径方向への剛性に比較して軸方向への剛性の方が高い、請求項１に記載のディスクプレーヤーのチャッキング装置。
【請求項３】
前記第２爪部は、前記チャックアームの開口縁部から前記保持部と逆側に延びかつ前記開口の内周側に折り返されて前記保持部側に延びるＵ字形状に形成されている、請求項１または２に記載のディスクプレーヤーのチャッキング装置。
【請求項４】
前記第２爪部の先端部は前記第１爪部の先端部より内周側に位置している、請求項１から３のいずれかに記載のディスクプレーヤーのチャッキング装置。
【発明の詳細な説明】
【０００１】
【発明の属する技術分野】
本発明は、ディスクプレ−ヤーのチャッキング装置、特に、ディスクプレーヤーのターンテーブルに載置されたディスクを保持するためのチャッキング装置に関する。
【０００２】
【従来の技術】
ディスクプレーヤーのターンテーブルに載置されたディスクを保持するためのチャッキング装置として、特開平１０−２２８６９８号公報、特開平６−２１５４６１号公報に示される装置が既に提案されている。これらのチャッキング装置は、チャックディスクとチャックアームとを備えている。チャックディスクは、片面にターンテーブルに係止可能な係止部が形成された円板状部材である。チャックアームには開口が形成されており、チャックディスクはこの開口の内周側に回転自在に配置されている。
【０００３】
これらの装置では、ターンテーブルにディスクを載置してチャックディスクの係止部をターンテーブルに係止させることによりディスクが保持される。チャックディスクはターンテーブルとの間にディスクを保持した状態でターンテーブルと一体に回転する。
【０００４】
一般に、この種のチャッキング装置を組み立てる場合、まず、チャックディスクの係止部を、開口の内周側を通過させてターンテーブル側に配置する。このとき、チャックディスクは、円板状部分の外周部が開口の縁部に当接するため、チャックアームからターンテーブル側への抜けが抑えられる。次に、チャックアームに、チャックディスクの外周部を覆うように別部材を取り付ける。これにより、チャックディスクは、チャックアームからターンテーブルの逆側への抜けも抑えられる。
【０００５】
【発明が解決しようとする課題】
従来のチャッキング装置では、チャックアームにチャックディスクを挿通させた後、チャックアームに別部材を取り付ける作業を行わなければならない。
【０００６】
そこで、装置をより簡単に組み立てられるよう、チャックアームと別部材とを一体に成形してチャックディスクを保持するための保持部を形成し、この保持部にチャックディスクを挿入するための挿入用開口を形成することが考えられる。
【０００７】
このような装置を組み立てる場合は、チャックディスクを従来とは逆にターンテーブル側から挿入して保持部内に配置させる。このような構成を採用した場合、チャックディスクの挿入用開口からの抜けを防止しかつチャックディスクが挿入用開口を容易に通過できるようにするために、開口の縁部の複数箇所に、先端部がチャックディスクの外径より僅かに内周側まで延びる抜け止め用の突起を形成することが必要である。
【０００８】
しかし、このような構成では、チャックディスクを保持部内に装着する際の作業を容易にするために、突起の内周側への突出量が限定される。すなわち、チャックディスクへの突起の引っ掛かり代を充分に確保できない。したがって、輸送中の振動等によりチャックディスクが突起を押し、突起が弾性変形する等して、チャックディスクが保持部から抜け落ちる場合がある。
【０００９】
本発明の目的は、組み立てが容易なチャッキング装置において、チャックディスクのチャックアームからの抜け落ちを防止することにある。
【００１０】
【課題を解決するための手段】
請求項１に記載のチャッキング装置は、ディスクプレーヤーのターンテーブルに載置されたディスクを保持するための装置であって、チャックディスクとチャックアームとを備えている。チャックディスクはターンテーブルに係止可能な円板状のディスクである。チャックアームは、チャックディスクが挿通可能な開口を有しチャックディスクが回転自在に配置される保持部と、開口の縁部に内周側に突出して形成された複数の第１爪部と、開口の縁部に形成され保持部内のチャックディスクが外部に抜け出るのを防止するための少なくとも１つの第２爪部を有している。
【００１１】
【課題を解決するための手段】
そして、複数の第１爪部は、チャックディスクの保持部内への挿通を許容しかつ保持部内のチャックディスクを支持するものである。第２爪部は、前記チャックディスクを前記開口から前記保持部内に挿通してその保持部に装着するに際し、前記チャックディスクの外周部が干渉して半径方向外方に押されることにより弾性変形してそのチャックディスクを前記保持部内に挿通することを可能にするものである。また第２爪部は、チャックディスクの装着時に受ける力に対する剛性に比較して、チャックディスクが保持部から抜け出ようとする際に受ける力に対する剛性の方が高くなる形状である。
【００１２】
この装置を組み立てる場合は、チャックディスクを開口を通して保持部内に装着する。このとき、複数の第１爪部は、チャックディスクが開口を挿通可能なような配置、形状である。一方、第２爪部はチャックディスクに押圧されて弾性変形するが、この装着時に受ける力に対する剛性は比較的低いので、容易に弾性変形が可能であり、チャックディスクを容易に保持部内に装着することができる。
【００１３】
このようにして組み立てられたチャッキング装置では、ターンテーブルにディスクを載置し、チャックディスクをターンテーブルに係止させることにより、ディスクが保持される。チャックディスクはターンテーブルとの間にディスクを保持した状態でターンテーブルと一体に回転する。
【００１４】
また、チャックアームは、運搬時等の振動や衝撃により軸方向に力を受ける場合がある。この場合、チャックディスクが保持部から抜け出ようとすると、チャックディスクの外周部が第２爪部に引っ掛かる。ここで、第２爪部はチャックディスクが保持部から抜け出ようとする際に受ける力に対する剛性は比較的高く、したがって容易に弾性変形しない、このため、チャックディスクが保持部から抜けるのが抑えられる。
【００１５】
請求項２に記載のチャッキング装置は、請求項１の装置において、第２爪部はチャックディスクの径方向への剛性に比較して軸方向への剛性の方が高い。
この装置では、チャックディスクをチャックアームに装着する場合、チャックディスクは、第２爪部を径方向に弾性変形させながら保持部の開口を挿通する。このとき、第２爪部は径方向への剛性が比較的低いので、チャックディスクの装着時に径方向に力を受けた際に容易に弾性変形する。したがってチャックディスクの装着が容易になる。一方、第２爪部は軸方向へ剛性が比較的高く、したがってこの方向へは弾性変形しにくい。このため、チャックディスクが保持部から抜け出ようとして第２爪部に軸方向の力が作用した場合、第２爪部は容易に弾性変形することがなく、チャックディスクが保持部から抜けるのを抑えられる。
【００１６】
請求項３に記載のチャッキング装置は、請求項１または２の装置において、第２爪部は、挿通用開口の縁部から保持部と逆側に延びかつ挿通用開口の内周側に折り返されて保持部側に延びるＵ字形状に形成されている。
【００１７】
この装置では、チャックディスクをチャックアームに装着する場合、第２爪部はＵ字形状に形成されているため、第２爪部の先端部は、チャックディスクが挿入用開口を挿通する際に径方向に容易に弾性変形し、また、軸方向には弾性変形が困難となる。このため、チャックディスクを保持部に装着する場合はその作業が容易になり、しかも保持部から抜け出るのを抑えられる。
【００１８】
請求項４に記載のチャッキング装置では、請求項１から３のいずれかの装置において、第２爪部の先端部は第１爪部の先端部より内周側に位置している。
この装置では、第２爪部の先端部は、第１爪部の先端部より内周側にあるため、チャックディスクが保持部から抜け出るのをより確実に抑えられる。
【００１９】
【発明の実施の形態】
図１に本発明の一実施形態が採用されたチャッキング装置１を示す。
チャッキング装置１は、ターンテーブル３に載置されるディスク５を保持するための装置であり、ディスクプレーヤー（図示せず）の内部に配置されている。なお、ターンテーブル３はモータ７に一体回転可能に連結されている。チャッキング装置１は、チャックディスク１０とチャックアーム１７とを備えている。
【００２０】
チャックディスク１０は、ディスク本体１１と、ディスク本体１１の内部に設けられたマグネット１３及びヨーク板１５とを有している。
ディスク本体１１は、円板部２１と、円板部２１の片面に形成された係止部２３，複数の保持部２５及び押圧部２７とからなる。係止部２３は、チャックディスク１０をターンテーブル３に係止させるためのもので、円板部２１の中心部から垂直に突出して形成されている。複数の保持部２５は、チャックディスク１０の内周部にマグネット１３とヨーク板１５とを保持するためのものであり、円周方向に所定の間隔で設けられている。押圧部２７は、ディスク５の表面を押圧してターンテーブル３との間でディスク５を狭持するためのものであり、複数の保持部２５の外周側に環状に形成された部分である。
【００２１】
マグネット１３は、環状の磁石であり、チャックディスク１０がターンテーブル３側に吸着されるようにターンテーブル３側に対向して配置されている。
ヨーク板１５は、マグネット１３の磁力を補助するための円板状の部材であり、マグネット１３とチャックディスク１０との軸方向間に配置されている。
【００２２】
チャックアーム１７は、樹脂製部材であり、チャックディスク１０が回転自在に配置されるための保持部３１が形成されている。保持部３１は、図１及び図２に示すように、ターンテーブル３から離れる側に窪むように形成された円形の凹部であり、チャックディスク１０が軸方向に移動可能となる所定の大きさの空間を有している。なお、図２は保持部３１をターンテーブル３側から見た外観斜視図である。保持部３１のターンテーブル３側には、チャックディスク１０が挿通可能な開口３３が形成されている。
【００２３】
このチャックアーム１７において、開口３３の縁部の複数箇所（本実施形態では３箇所）には、内周側に延びる板状の第１爪部３５が形成されている。各第１爪部３５の先端（内周端）を結ぶ径ｄ（図２参照）はチャックディスク１０の外径よりも小さく、したがって、保持部３１内に配置されたチャックディスク１０はこの第１爪部３５によって支持されることが可能である。
【００２４】
また、開口３３の縁部には、一旦保持部３１内に挿入されたチャックディスク１０の抜けを防止するための第２爪部３７が形成されている。第２爪部３７は、図示されるように、開口３３の縁部からターンテーブル３側に延びてかつ開口３３の内周側に折り返されて保持部３１側に延びるＵ字形状に形成されている。そして、このＵ字形状の第２爪部３７の先端は、前述の各第１爪部３５の先端を結ぶ径ｄよりも内側に位置している。このようなＵ字形状の第２爪部３７は、径方向の力に対しては剛性は比較的低く、かつ軸方向の力に対しては剛性は半径方向の剛性に比較して高い。したがって、半径方向には容易に弾性変形するが、軸方向の弾性変形は困難である。
【００２５】
このチャッキング装置１を組み立てる場合は、チャックディスク１０を開口３３から保持部３１内に挿通させる。このとき、第１爪部３５の径方向内側への突出量は、チャックディスク１０を径方向に偏倚させながら第１爪部３５の干渉を避けて保持部３１内に挿入できるような突出量となっている。このチャックディスク１０の保持部３１内への装着に際して、チャックディスク１０の外周部が第２爪部３７の先端に干渉する。すなわち、第２爪部３７はチャックディスク１０によって半径方向外方に押される。しかし、第２爪部３７は径方向力に対しては剛性が低く、容易に弾性変形する。したがって、第２爪部３７を弾性変形させながら、容易に保持部３１内に装着することが可能となる。
【００２６】
このようにしてチャックディスク１０を一旦保持部３１内に挿入した後は、チャックディスク１０を保持部３１内の中心部に配置することによって、３つの第１爪部３５によってチャックディスク１０を支持することが可能である。
【００２７】
このようにして組み立てられたチャッキング装置１では、ターンテーブル３にディスク５を載置してチャックディスク１０をターンテーブル３に係止させるとディスク５が保持される。モータ７が駆動してターンテーブル３が回転すると、チャックディスク１０はターンテーブル３と一体に回転する。
【００２８】
また、チャックアーム１７は、輸送中の振動等により軸方向に力を受ける。このような力を受けると、チャックディスク１０は第２爪部３７の先端を押し、保持部３１から抜けようとする。しかし、第２爪部３７は軸方向の力に対しては剛性が高く、弾性変形しにくいため、保持部３１から抜け出るのを効果的に抑えることができる。また、第２爪部３７の先端部は第１爪部３５の先端よりさらに内周側に位置するため、チャックディスク１０の保持部３１からの抜け落ちをより確実に抑えることができる。
【００２９】
［他の実施形態］
（ａ）第２爪部３７の形状は、Ｕ字形状に限定されるものではなく、チャックディスクの装着時に受ける力に対しての剛性が低く、かつチャックディスク１０が抜け出ようとする際に受ける力に対して剛性が高くなるような形状であれば他の形状が採用されてもよい。
【００３０】
（ｂ）第２爪部３７は開口３３の縁部に複数設けられてもよい。
【００３１】
【発明の効果】
本発明によれば、第２爪部は、チャックディスクの装着時には容易に弾性変形し、抜け出ようとする場合には弾性変形しにくい形状に形成されているため、組立が容易で、しかもチャックディスクがチャックアームから抜け出るのを抑えることができる。
【図面の簡単な説明】
【図１】本発明の一実施形態が採用されたチャッキング装置を示す縦断面図。
【図２】前記装置のチャックアームの外観斜視部分図。
【符号の説明】
１  チャッキング装置
３  ターンテーブル
５  ディスク
１１  チャックディスク
１７  チャックアーム
３１  保持部
３３  開口
３５  第１爪部
３７  第２爪部
【図１】
0003578333.tif 000002
【図２】
0003578333.tif 000003